【手続補正書】
【提出日】平成28年12月27日(2016.12.27)
【手続補正１】
【補正対象書類名】特許請求の範囲
【補正対象項目名】全文
【補正方法】変更
【補正の内容】
【特許請求の範囲】
【請求項１】
遊技球が流下する遊技領域と、
遊技球を前記遊技領域の上部へと打ち込むための遊技球発射手段と、
前記遊技領域に設けられ、前記遊技球が入賞可能な始動口と、
前記遊技領域に設けられ、遊技球が入賞可能な開放状態と、遊技球が入賞困難な閉鎖状態とに切り替わり、通常は前記閉鎖状態に保持されている大入賞口と、
前記始動口への遊技球の入賞を条件に、前記大入賞口を開放状態にする大当り遊技を行うか否かの大当り当否判定を含んだ始動口入賞判定を行う始動口入賞判定手段とを備えた遊技機において、
前記始動口としての第１始動口と第２始動口とを、それらに共通した第１基幹流下経路より下流側に別個に設け、前記第１基幹流下経路を通過した遊技球が前記第２始動口に到達するより前記第１始動口に早く到達するように配置すると共に、前記第１始動口より前記第２始動口に入賞した場合の方が遊技者にとって有利となる前記始動口入賞判定を行うように前記始動口入賞判定手段を構成し、
前記第１基幹流下経路の下端部には、遊技球を前記第１始動口に入賞させるように案内する第１案内流下経路と、遊技球を前記第１始動口に入賞させないように案内して前記第２始動口に向かわせる第２案内流下経路とが連絡され、
前記第１始動口は、前記第１案内流下経路への進入口の下に離して配置されかつ前記進入口に向かって開口し、
前記第１案内流下経路のうち前記進入口と前記第１始動口との間に連通し、前記進入口と前記第１始動口との間を斜め下方に落下して前記第１始動口から逸れた遊技球又は前記第１始動口の開口縁で跳ね返った遊技球を受け入れて前記第２始動口に向かわせる第１入賞逸脱経路を備え、
前記第１入賞逸脱経路を通過して前記第２始動口に向かう遊技球が通過する経路と、前記第２案内流下経路を流下して前記第２始動口に向かう遊技球が通過する経路とが合流していることを特徴とする遊技機。
【請求項２】
前記第２案内流下経路とは別個に遊技球を前記第１始動口に入賞させないように案内して前記第２始動口に向かわせる第２基幹流下経路を設け、その第２基幹流下経路と前記第１基幹流下経路とを、それらに共通の共通基幹経路の下端部から二股に分岐させ、
前記第１入賞逸脱経路は、前記第２案内流下経路に隣接して設けられると共に、前記第２基幹流下経路と前記第２案内流下経路の下端同士の合流部に開放していることを特徴とする請求項１に記載の遊技機。
【手続補正２】
【補正対象書類名】明細書
【補正対象項目名】０００６
【補正方法】変更
【補正の内容】
【０００６】
上記目的を達成するためになされた請求項１の発明に係る遊技機は、遊技球が流下する遊技領域と、遊技球を遊技領域の上部へと打ち込むための遊技球発射手段と、遊技領域に設けられ、遊技球が入賞可能な始動口と、遊技領域に設けられ、遊技球が入賞可能な開放状態と、遊技球が入賞困難な閉鎖状態とに切り替わり、通常は閉鎖状態に保持されている大入賞口と、始動口への遊技球の入賞を条件に、大入賞口を開放状態にする大当り遊技を行うか否かの大当り当否判定を含んだ始動口入賞判定を行う始動口入賞判定手段とを備えた遊技機において、始動口としての第１始動口と第２始動口とを、それらに共通した第１基幹流下経路より下流側に別個に設け、第１基幹流下経路を通過した遊技球が第２始動口に到達するより第１始動口に早く到達するように配置すると共に、第１始動口より第２始動口に入賞した場合の方が遊技者にとって有利となる始動口入賞判定を行うように始動口入賞判定手段を構成し、第１基幹流下経路の下端部には、遊技球を第１始動口に入賞させるように案内する第１案内流下経路と、遊技球を第１始動口に入賞させないように案内して第２始動口に向かわせる第２案内流下経路とが連絡され、第１始動口は、第１案内流下経路への進入口の下に離して配置されかつ進入口に向かって開口し、第１案内流下経路のうち進入口と第１始動口との間に連通し、進入口と第１始動口との間を斜め下方に落下して第１始動口から逸れた遊技球又は第１始動口の開口縁で跳ね返った遊技球を受け入れて第２始動口に向かわせる第１入賞逸脱経路を備え、第１入賞逸脱経路を通過して第２始動口に向かう遊技球が通過する経路と、第２案内流下経路を流下して第２始動口に向かう遊技球が通過する経路とが途中で合流しているところに特徴を有する。
【手続補正３】
【補正対象書類名】明細書
【補正対象項目名】０００７
【補正方法】変更
【補正の内容】
【０００７】
請求項２の発明は、請求項１に記載の遊技機において、第２案内流下経路とは別個に遊技球を第１始動口に入賞させないように案内して第２始動口に向かわせる第２基幹流下経路を設け、その第２基幹流下経路と第１基幹流下経路とを、それらに共通の共通基幹経路の下端部から二股に分岐させ、第１入賞逸脱経路は、第２案内流下経路に隣接して設けられると共に、第２基幹流下経路と第２案内流下経路の下端同士の合流部に開放しているところに特徴を有する。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２３
【補正方法】変更
【補正の内容】
【００２３】
このように、第１基幹流下経路に進入した遊技球は、遊技者にとって有利な第２始動口に必ずしも案内されるわけではなく、遊技球が第１基幹流下経路の下端部に到達したときの入賞調整開閉部材の状態によっては、第２案内流下経路の手前で第１案内流下経路に進入して、第２始動口よりも遊技者にとって不利な第１始動口に案内されることがある。これにより、遊技球が第１基幹流下経路の下端部に到達するタイミングと、入賞調整開閉部材が有利閉鎖状態となるタイミングとが一致して、遊技球が無事に第１基幹流下経路から第２案内流下経路へと進むことができるのか否かといった緊張感やスリル感を遊技者に与えることができ、遊技の趣向性を向上させることが可能となる。
また、第１案内流下経路に進入した遊技球が必ずしも第１始動口に入賞するのではなく、第１案内流下経路の進入口と第１始動口との間を斜め下方に落下して第１始動口から逸れた遊技球や、第１始動口の開口縁で跳ね返った遊技球は、第１入賞逸脱経路を通って第２始動口に向かう。これにより、第１案内流下経路に進入した場合でも、第２始動口への入賞に望みを抱かせることが可能となる。
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００５７
【補正方法】変更
【補正の内容】
【００５７】
＜右側流下領域Ｒｂの流下経路について＞
右側流下領域Ｒｂの上部には、その右側流下領域Ｒｂを流下する遊技球の全てが通過する共通基幹経路５０が設けられている。共通基幹経路５０は、遊技球が１つだけ通過可能な幅をなして上下方向に延び、その共通基幹経路５０の下端部に、第１基幹流下経路５１と第２基幹流下経路５２とが二股状に連絡されている。第２基幹流下経路５２は、第１基幹流下経路５１との分岐部から遊技領域Ｒの外縁部に沿って下方に延びており、その下端部の排出口５２Ｂが、始動ゲート３０に向かって左斜め下方に開放している。また、第２基幹流下経路５２は、遊技球をサイド始動口３２Ａに入賞させないように案内して、始動ゲート３０や、その下流側に配置された特別始動口３３Ａ、第１及び第２のアタッカー口３４Ａ，３５Ａに向かわせる。
【手続補正３３】
【補正対象書類名】明細書
【補正対象項目名】００６１
【補正方法】変更
【補正の内容】
【００６１】
図４に示すように、第１基幹流下経路５１は、第２基幹流下経路５２との分岐部から、第２基幹流下経路５２よりも大きく左右に蛇行しながら下方に向かって延びており、遊技球が通過する通過時間が、第２基幹流下経路５２よりも長くなるように構成されている。第１基幹流下経路５１の下流側には、サイド始動口３２Ａ、特別始動口３３Ａ、始動ゲート３０等が設けられている。
【手続補正３４】
【補正対象書類名】明細書
【補正対象項目名】００７８
【補正方法】変更
【補正の内容】
【００７８】
【表１】
2015144970.tif 000001